(57)【要約】      （修正有）【課題】ユーザーの要望に応じて収納食品数を変更、調整するに当たって、新たに容器を変更したり、内容器に仕切り配置することなく、簡単に収納加工食品数の変更に対応できる簡易食品容器を提供する。【解決手段】発泡樹脂製枠材２の上縁を内容器３の上周縁３１で嵌合した嵌合型簡易容器１の内容器の空間３４に、この空間３４に合わせて調製された仕切付中皿４を空間３４内に落とし込み、仕切付中皿４の外側面４１の外側に形成された係止部４６を、簡易容器１の仕切３２と食品収納空間の外縁上面３５に載置することによって行う。【選択図】図２
0003142226.tif 000002
【実用新案登録請求の範囲】
【請求項１】
発泡プラスチック製の枠材に薄いプラスチック製の内容器を接合した簡易容器において、内容器の食品収納空間内に別途に準備した仕切付中皿を装入した中皿付食品包装用容器。
【請求項２】
簡易容器が、内容器の上縁を枠材の上縁に嵌合して組み立てた嵌合型の簡易容器である請求項１に記載の中皿付食品包装用容器。
【請求項３】
簡易容器が、蓋部材を内容器の上縁または枠材の上縁に嵌合して組み立てた嵌合型の簡易容器である請求項１に記載の中皿付食品包装用容器。
【請求項４】
内容器の食品収納空間内に装入した仕切付中皿が、複数種類の仕切を有する複数の仕切付中皿から選択されたものである請求項１に記載の中皿付食品包装用容器。
【請求項５】
内容器の食品収納空間内に装入した仕切付中皿が、複数種類の色彩を有する複数の仕切付中皿から選択されたものである請求項１に記載の中皿付食品包装用容器。
【請求項６】
内容器の食品収納空間内に装入される仕切付中皿が複数に分離されている請求項１に記載の中皿付食品包装用容器。
【考案の詳細な説明】
【技術分野】
【０００１】
本考案は、中皿付食品包装用簡易容器、すなわち、簡易容器を構成する内容器の仕切空間に、加工食品を収納する中皿を交換可能に設けた加工食品収納用のプラスチック製簡易容器に関する。
【背景技術】
【０００２】
食品包装用簡易容器は、通常、発泡プラスチック、厚紙、あるいは木製の枠材に薄いプラスチック製の底板または内容器を接合したものを基本構造とするものである。
【０００３】
かかる基本構造からなる簡易容器は、その製作に際して、枠材と内容器の接合に手間を要する、また、その流通に際しては、組立て後の嵩容量が大きく搬送効率が悪い等の欠点がある。
【０００４】
本願出願人は、先に、特許文献１において、かかる簡易容器の欠点を解消するために、枠材として折り畳み枠材を使用し、内容器の上縁を枠材の上縁に嵌合して組み立てるいわゆる嵌合型の簡易容器を開示した。この嵌合型の簡易容器は、枠材と内容器を素材そのままで使用現場で簡単に組み立てることができ、搬送効率も組立効率も向上する。
【０００５】
また、同じく特許文献２には、食品簡易容器本体を構成する枠材あるいは枠材に取り付けた中容器に蓋部材が完全に嵌合できるようにし、蓋部材の容器本体への蓋部材の取り付けをより完全にした食品用簡易容器が開示されている。
【０００６】
通常、枠材の内側に配置される中容器は、予め、収納する加工食品、惣菜の種類の数に応じ、予め固定した数の仕切りを設けた内容器が使用される。
【０００７】
ところが、お客様の要望に応じて収納食品数を変更、調整するためには、それに合った内容器を有する簡易容器を新たに製作するか、内容器に仕切板を配置して収納数、量等の変更に対応する必要がある。  このことが、簡易容器を使用して弁当類を調製するに当たっての能率の低下に繋がる。
【特許文献１】特許第３２９９４４９号公報
【特許文献２】特許第３９２７３５６号公報
【考案の開示】
【考案が解決しようとする課題】
【０００８】
本考案の課題は、ユーザーの要望に応じて収納食品数を変更、調整するに当たって、新たに容器を変更したり、内容器に仕切り配置することなく、簡単に収納加工食品数の変更に対応でき、とくに、前記特許文献に開示されたいわゆる嵌合型の簡易食品容器に好適に適用される中皿付食品包装用簡易容器を提供することにある。
【課題を解決するための手段】
【０００９】
本考案は、発泡プラスチック製の枠材に薄いプラスチック製の内容器を接合した簡易容器において、内容器の食品収納空間内に別途に準備した仕切付中皿を装入した中皿付食品包装用容器である。
【００１０】
包装用容器の内容器に装入するために別途に準備する仕切付中皿は、複数種類の仕切、あるいは、色彩を施した仕切付中皿を準備し、お客様の要望に応じて、任意選択することで、ユーザーニーズに合致した簡易容器とすることができる。
【００１１】
また、内容器の上縁、あるいは蓋部材の下縁を枠材の上縁に嵌合して組み立てた嵌合型の簡易容器は、その構造上、内容器の上縁が枠材の上縁を覆っているために、仕切付中皿を簡易容器の内容器と同一の材質とすることによって、仕切付中皿を内容器内に装入しても簡易容器との一体感は失われることはない。
【００１２】
また、簡易容器の内容器に装入される仕切付中皿は、単数に限らず、複数個であっても良いし、また、装入される仕切付中皿が複数に分離されたものであってもよい。
【考案の効果】
【００１３】
収納する加工食品に対するユーザーニーズが多岐に亘ろうとも、簡易容器を新たに準備することなしに、中皿を内容器の食品収納スペースに載置するだけで対応できる。このため、店舗等で準備する容器の種類を減らすことができる。そして、そのことは、破棄する容器の量を減らすことになるため、環境への配慮ともなる。
【００１４】
また、中皿をカラー化し、さらに、色柄の違う中皿をセットできるようにすることによって収納する食品の種類を明示できる。
【００１５】
また、内容器の上縁を枠材の上縁に嵌合して組み立てた嵌合型の簡易容器は、その構造上、内容器の上縁が枠材の上縁を覆っているために、仕切付中皿を簡易容器の内容器と同一の材質とすることによって、仕切付中皿を内容器内に装入しても簡易容器との一体感は失われることはない。
【００１６】
さらには、簡易容器の内容器を耐熱性素材にすることによって、耐熱性を向上できる。
【００１７】
従来の一つの仕切り、色柄に対して一つの容器として製造していたのと比較し、より低コストでお客様の要望に応えやすくなる。
【００１８】
プレゼンテーションの際、お客様の目の前で、仕切り、色柄の交換ができるため、お客様がイメージを掴み易い。
【考案を実施するための最良の形態】
【００１９】
以下、本考案を特許第３２９９４４９号公報に記載の嵌合型簡易容器に適用した実施例に基づいて、本考案の実施形態を説明する。
【実施例】
【００２０】
図１は、簡易容器１の枠材２に嵌合された内容器３の食品収納空間に、仕切付中皿４が装入された本考案の中皿付食品包装用容器１０を示す。
【００２１】
図２は、図１に示す中皿付食品包装用容器１０の構成を示す。
【００２２】
同図において、簡易容器１は、特許第３２９９４４９号公報に開示した嵌合型簡易容器であって、発泡樹脂製枠材２の上縁を内容器３の上周縁３１で嵌合したもので、容器上面には、内容器３の上周縁３１と、仕切３２によって第１の食品収納空間３３と第２の食品収納空間３４が形成されている。
【００２３】
仕切付中皿４は、その大きさと外形は、内容器３の第２の空間３４と同じに形成され、その内容部は外側面４１と仕切４２によって、ユーザーの好みの３種類の食品をそれぞれ収納する３個の空間４３、４４，４５が形成されている。
【００２４】
この図においては、内容器３に装入する仕切付中皿４が１個だけ示されているが、通常は、仕切４２の位置を変え、あるいは、仕切付中皿４の色彩を変えた複数種類の仕切付中皿が準備され、ユーザーの好みに応じて任意選択して内容器３の空間３４に装入する。
【００２５】
空間３４への仕切付中皿４の装入は、この空間３４に合わせて調製された仕切付中皿４を空間３４内に落とし込み、仕切付中皿４の外側面４１の外側に形成された係止部４６を、簡易容器１の仕切３２と食品収納空間の外縁上面３５に載置することによって行う。
【図面の簡単な説明】
【００２６】
【図１】本考案の中皿付食品包装用簡易容器の外観を示す。
【図２】本考案の中皿付食品包装用簡易容器の構成部材を示す。
【符号の説明】
【００２７】
簡易容器１
発泡樹脂製枠材２    
内容器３
内容器の上周縁３１      内容器の仕切３２  
内容器の第１の食品収納空間３３  内容器の第２の食品収納空間３４
食品収納空間の外縁上面３５
仕切付中皿４
外側面４１  仕切４２  食品収納空間４３、４４，４５
係止部４６
中皿付食品包装用容器１０
【図１】
0003142226.tif 000003
【図２】
0003142226.tif 000004